(57)【特許請求の範囲】
【請求項１】
主走査方向に延設される読み取り部と、
前記主走査方向と垂直に交差する副走査方向に前記読み取り部を移動させる移動部と、
筐体に固定され、前記副走査方向における前記読み取り部の移動をガイドするガイド部と、
前記副走査方向における前記読み取り部の移動が可能な状態で前記ガイド部を基準に前記読み取り部が前記主走査方向及び前記副走査方向とともに垂直な方向を回動軸として回動することを抑制する回動抑制部と、
を備え、
前記回動抑制部は、前記主走査方向における前記ガイド部の位置とは異なる位置に形成され、前記筐体に固定され前記副走査方向に延設される溝部または突起部である延設部と、前記読み取り部に固定され該延設部に隙間を介して嵌合する嵌合部と、を有し、
前記延設部と前記嵌合部は、画像読み取り動作中において接触しないよう構成されていることを特徴とする画像読み取り装置。
【請求項２】
主走査方向に延設される読み取り部と、
前記主走査方向と垂直に交差する副走査方向に前記読み取り部を移動させる移動部と、
筐体に固定され、前記副走査方向における前記読み取り部の移動をガイドするガイド部と、
前記副走査方向における前記読み取り部の移動が可能な状態で前記ガイド部を基準に前記読み取り部が前記主走査方向及び前記副走査方向とともに垂直な方向を回動軸として回動することを抑制する回動抑制部と、
を備え、
前記回動抑制部は、
前記主走査方向における前記ガイド部の位置とは異なる位置に形成され、前記筐体に固定され前記副走査方向に延設される溝部または突起部である延設部と、前記読み取り部に固定され該延設部に隙間を介して嵌合する嵌合部と、を有し、
前記ガイド部の位置よりも前記主走査方向における前記読み取り部の重心の位置側に形成され、
前記主走査方向において、前記ガイド部の位置と前記読み取り部の重心の位置との間に形成されていることを特徴とする画像読み取り装置。
【請求項３】
請求項２に記載の画像読み取り装置において、
前記延設部と前記嵌合部は、画像読み取り動作中において接触しないよう構成されていることを特徴とする画像読み取り装置。
【請求項４】
請求項１から３のいずれか１項に記載の画像読み取り装置において、
前記嵌合部は、前記読み取り部に形成される突起部であり、
前記延設部は、該突起部と対向する位置に形成される溝部であることを特徴とする画像読み取り装置。
【請求項５】
請求項１から３のいずれか１項に記載の画像読み取り装置において、
前記嵌合部は、前記読み取り部に形成される溝部であり、
前記延設部は、該溝部と対向する位置に形成される突起部であることを特徴とする画像読み取り装置。
【請求項６】
請求項５に記載の画像読み取り装置において、
前記突起部は、前記読み取り部の移動範囲において前記副走査方向の全域に形成されることを特徴とする画像読み取り装置。
【請求項７】
請求項１から６のいずれか１項に記載の画像読み取り装置と、
前記画像読み取り装置で読み取った画像を媒体に記録可能な記録部と、
を備えることを特徴とする記録装置。
【発明の詳細な説明】
【技術分野】
【０００１】
本発明は、画像読み取り装置及び記録装置に関する。
【背景技術】
【０００２】
従来から、読み取り部を走査して画像を読み取る画像読み取り装置が使用されている。  
例えば、特許文献１には、読み取り部としての読み取りユニットをガイド部としてのガイドシャフトに沿って走査して画像を読み取る画像読み取り装置が開示されている。
【先行技術文献】
【特許文献】
【０００３】
【特許文献１】特開２００３−７８７１９号公報
【発明の概要】
【発明が解決しようとする課題】
【０００４】
しかしながら、特許文献１の画像読み取り装置においては、読み取りユニットが待機位置（ホームポジション）にある場合などにおいて、落下などして強い衝撃が加わった場合、読み取りユニットがガイドシャフトを基準に回動してしまう場合があった。読み取りユニット（読み取り部）が回動すると、読み取りユニットがガイドシャフトから外れる場合があるほか、読み取りユニットがガイドシャフトから外れなかった場合であっても、その後の画像読み取り動作において、画像が斜めに読み取られてしまう場合があった。  
一方、読み取り部の回動を抑制するために該読み取り部のロック機構（固定機構）を形成すると、装置構成が複雑化し、装置の大型化や高コスト化を招く場合がある。
【０００５】
そこで、本発明は、読み取り部を走査して画像を読み取る画像読み取り装置において、読み取り部が回動することを簡単な構成で抑制することを目的にする。
【課題を解決するための手段】
【０００６】
上記課題を解決するための本発明の第１の態様の画像読み取り装置は、主走査方向に延設される読み取り部と、前記主走査方向と交差する副走査方向に前記読み取り部を移動させる移動部と、前記副走査方向における前記読み取り部の移動をガイドするガイド部と、前記副走査方向における前記読み取り部の移動が可能な状態で前記ガイド部を基準に前記読み取り部が回動することを抑制する回動抑制部と、を備えることを特徴とする。
【０００７】
本態様によれば、副走査方向における読み取り部の移動が可能な状態でガイド部を基準に読み取り部が回動することを抑制する回動抑制部を備える。このため、読み取り部のロック機構を形成する必要が無いので、簡単な構成で、読み取り部が回動することを抑制することができる。
【０００８】
本発明の第２の態様の画像読み取り装置は、前記第１の態様において、前記回動抑制部は、前記主走査方向における前記ガイド部の位置とは異なる位置に形成され、前記副走査方向に延設される延設部と該延設部に嵌合する嵌合部とを有することを特徴とする。
【０００９】
本態様によれば、主走査方向におけるガイド部の位置とは異なる位置に形成され、該副走査方向に延設される延設部と該延設部に嵌合する嵌合部とを有し、ガイド部を基準に読み取り部が回動することを抑制する回動抑制部を備える。このため、副走査方向に延設される延設部と該延設部に嵌合する嵌合部とからなる簡単な構成で、読み取り部が回動することを抑制することができる。
【００１０】
本発明の第３の態様の画像読み取り装置は、前記第２の態様において、画像読み取り動作中において、前記延設部と前記嵌合部は、接触しないよう構成されていることを特徴とする。
【００１１】
本態様によれば、画像読み取り動作中において、延設部と嵌合部は、接触しないよう構成されている。このため、画像読み取り動作中にこれら両者の接触に伴う摩擦力の上昇などに起因する読み取り動作の不良などを抑制できる。  
なお、「接触しないよう構成されている」とは、常に接触している状態ではなければ足りる意味であり、全く接触しないことまでは要求しない意味である。
【００１２】
本発明の第４の態様の画像読み取り装置は、前記第２又は第３の態様において、前記嵌合部は、前記読み取り部に形成される突起部であり、前記延設部は、該突起部と対向する位置に形成される溝部であることを特徴とする。
【００１３】
本態様によれば、嵌合部は読み取り部に形成される突起部であり、延設部は該突起部と対向する位置に形成される溝部である。このため、嵌合部と延設部とを特に簡単に構成できる。
【００１４】
本発明の第５の態様の画像読み取り装置は、前記第２又は第３の態様において、前記嵌合部は、前記読み取り部に形成される溝部であり、前記延設部は、該溝部と対向する位置に形成される突起部であることを特徴とする。
【００１５】
本態様によれば、嵌合部は読み取り部に形成される溝部であり、延設部は該溝部と対向する位置に形成される突起部である。このため、画像読み取り装置の下部に溝部を形成することで該装置の下部が下側に出っ張るということを抑制できる。このため、例えば、画像読み取り装置の下部に記録部などを設ける構成の装置などにおいて、装置全体を小型化できる。
【００１６】
本発明の第６の態様の画像読み取り装置は、前記第５の態様において、前記突起部は、前記読み取り部の移動範囲において前記副走査方向の全域に形成されることを特徴とする。
【００１７】
本態様によれば、突起部は読み取り部の移動範囲において副走査方向の全域に形成される。このため、例えば、読み取り部が待機位置（ホームポジション）にある場合などだけではなく、読み取り部の移動範囲全域において、読み取り部が回動することを抑制することができる。
【００１８】
本発明の第７の態様の画像読み取り装置は、前記第１から第６のいずれか１つ態様において、前記回動抑制部は、前記ガイド部の位置よりも前記主走査方向における前記読み取り部の重心の位置側に形成されていることを特徴とする。
【００１９】
本態様によれば、回動抑制部は、ガイド部の位置よりも主走査方向における読み取り部の重心の位置側に形成されている。このため、回動の基準位置（ガイド部）を基準にして、装置の落下などにより、力が加わりやすい側で回動を抑制することができる。したがって、読み取り部が回動することを効果的に抑制することができる。
【００２０】
本発明の第８の態様の画像読み取り装置は、前記第７の態様において、前記回動抑制部は、前記主走査方向において、前記ガイド部の位置と前記読み取り部の重心の位置との間に形成されていることを特徴とする。
【００２１】
本態様によれば、回動抑制部は、主走査方向において、ガイド部の位置と読み取り部の重心の位置との間に形成されている。このため、回動抑制部をガイド部の近くに構成でき、例えば、回動抑制部とガイド部とを読み取り部における同じ部材に形成する場合、該部材を小型且つ簡単に構成できる。
【００２２】
本発明の第９の態様の記録装置は、前記１から８のいずれか１つの態様の画像読み取り装置と、前記画像読み取り装置で読み取った画像を媒体に記録可能な記録部と、を備えることを特徴とする。
【００２３】
本態様によれば、読み取り部の回動が抑制された状態で画像を読み取り、読み取られた該画像を記録することができる。
【図面の簡単な説明】
【００２４】
【図１】本発明に係るプリンターの外観斜視図。
【図２】本発明に係るプリンターにおいて手差しカバーを開いた状態を表す外観斜視図。
【図３】本発明に係るプリンターにおいて画像読み取り装置を開いた状態を示す斜視図。
【図４】本発明に係るプリンターの内部構成を示す断面図。
【図５】画像読み取り装置の斜視図。
【図６】画像読み取り装置の平面図。
【図７】画像読み取り装置において原稿台を外した状態を示す斜視図。
【図８】読み取り部がホームポジションにある状態を示す平面図。
【図９】読み取り部がホームポジションから移動した状態を示す平面図。
【図１０】読み取り部の平面図。
【図１１】読み取り部の斜視図。
【図１２】読み取り部の分解斜視図。
【図１３】読み取り部の一部を表す断面図。
【図１４】読み取り部の一部を表す断面図。
【図１５】画像読み取り装置の一部を表す斜視図。
【図１６】読み取り部のセンサーキャリッジの一部を表す斜視図。
【図１７】読み取り部のセンサーキャリッジの一部を表す平面図。
【図１８】画像読み取り装置の断面図。
【図１９】画像読み取り装置の断面図。
【図２０】別の実施形態の読み取り部の一部を表す断面図。
【図２１】参考例に係るプリンターの読み取り部の一部を表す概略図。
【発明を実施するための形態】
【００２５】
まず、本発明の一実施例に係る画像読み取り装置、及び該画像読み取り装置を備えた記録装置の概略について説明する。本実施例において、記録装置の一例としてインクジェット式プリンター（以下、単にプリンターと称する）を例に挙げる。  
＜プリンターの全体構成について＞  
最初に、プリンター１の全体構成について概説する。  
図１は、本発明に係るプリンターの外観斜視図である。図２は、本発明に係るプリンターにおいて手差しカバーを開いた状態を表す外観斜視図である。図３は、本発明に係るプリンターにおいて画像読み取り装置を開いた状態を示す斜視図である。図４は、本発明に係るプリンターの内部構成を示す断面図である。図５は、画像読み取り装置の斜視図である。
【００２６】
本発明に係るプリンター１（図１）は、記録機構部本体２内に媒体（被記録媒体）の一例としての用紙Ｐ（Ｐ１及びＰ２）にインクジェット記録を行う記録部（後述する記録ヘッド３０、図４参照）を備えて構成される記録機構部１５と、記録機構部本体２の上部に設けられ、原稿（画像）を読み取る画像読み取り装置３（図３）を備えている。即ちプリンター１は、インクジェット記録機能に加えてスキャナー機能を備える複合機として構成されている。尚、図３は、プリンター１において記録機構部１５の側面の外装を外した状態を示している。
【００２７】
尚、各図において示すＸ−Ｙ−Ｚ座標系はＸ方向が記録ヘッドの走査方向（後述する読み取り部３７の移動方向としての副走査方向に対応）、Ｙ方向が装置奥行き方向（読み取り部３７が延設される主走査方向に対応）である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００２８】
画像読み取り装置３（図３）は、記録機構部１５の記録機構部本体２に対して回動可能に設けられており、回動することにより、記録機構部１５の上部を閉じた状態（図１）と開いた状態（図３）とをとり得る。画像読み取り装置３の構成については後に更に詳述する。  
尚、画像読み取り装置３はその上部に開閉可能なカバー４（図１）を備えており、このカバー４が原稿台３ａ（図４、図５）を開閉する様に構成されている。またこのカバー４には原稿押さえマット（不図示）が設けられており、カバー４を閉じた際に、原稿台３ａに載置された原稿が前記原稿押さえマットにより押圧され、その被読み取り面が原稿台３ａに密着するようになっている。
【００２９】
図１のプリンター１の装置前面において符号５は、電源ボタンや各種印刷設定・記録実行を行う操作ボタン、印刷設定内容や印刷画像のプレビュー表示などを行う表示部、等を備えて成る操作パネルである。
【００３０】
また、装置前面において符号９は下段側トレイ１３（図４）に設けられた開閉可能なカバーである。そして図４に示すように、このカバー９を開くことにより、下段側トレイ１３、上段側トレイ１４、排紙受けトレイ８、のこれらが露呈する様に構成されている。
【００３１】
排紙受けトレイ８は、図示しないモーターによって記録機構部本体２に収納された状態（図１）と、記録機構部本体２の前方側に突出した状態（図４）と、を取り得る様に設けられており、記録機構部本体２の前方側に突出した状態となることで、記録が行われて排出される用紙を受けることができる。
【００３２】
下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３３】
また、記録機構部本体２の後方上部において符号６は開閉可能な手差しカバーであり、この手差しカバー６を図２のように開くことにより、手差しトレイ７を利用した用紙の手差しでの給紙が行える様になっている。  
本実施例のプリンター１は、下段側トレイ１３、上段側トレイ１４及び手差しトレイ７にセットされた用紙Ｐを記録機構部１５による記録位置まで搬送し、さらに、記録がなされた用紙Ｐを排紙受けトレイ８に搬送する構成になっている。
【００３４】
＜画像読み取り装置の概要構成について＞
続いて、画像読み取り装置３の概要構成について説明する。  
上記のように、図５は、画像読み取り装置の斜視図である。  
また、図６は、画像読み取り装置の平面図である。図７は、画像読み取り装置において原稿台を外した状態を示す斜視図である。図８は、読み取り部がホームポジションにある状態を示す平面図である。図９は、読み取り部がホームポジションから移動した状態を示す平面図である。
【００３５】
画像読み取り装置３（図３）は、前述したように、記録機構部１５の上部において、記録機構部１５の記録機構部本体２に対して回動可能に連結されており、回動することにより記録機構部１５の上部を開閉する。  
より具体的には、画像読み取り装置３は、第１の連結部３５および第２の連結部３６において、記録機構部１５に対して回動可能に連結されている。第１の連結部３５および第２の連結部３６には、それぞれに回動軸３５ａ、３６ａ（図５）が設けられており、記録機構部本体２側に設けられる不図示の軸受けに回動軸３５ａ、３６ａが軸支されて、記録機構部１５の上部を開閉するように画像読み取り装置３が回動する。
【００３６】
画像読み取り装置３は原稿台３ａ（図５）を備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄ（図５、図６）により構成されており、これらフレーム３３ａ、３３ｂ、３３ｃ、３３ｄにより画設された矩形領域（図６、符号３４）が、画像読み取り装置３の装置本体を構成する筐体４０内を移動する読み取り部３７によって読み取りが可能な原稿読み取り領域３４となる。尚、複数のフレーム３３ａ、３３ｂ、３３ｃ、３３ｄは一体に形成されていてもよい。  
すなわち、本実施例において画像読み取り装置３はフラットベッド型のスキャナーであり、原稿台３ａの下側に、読み取り部３７が原稿台３ａに対して相対的に移動可能に設けられている。
【００３７】
読み取り部３７は筐体４０内に設けられ、主走査方向（Ｙ軸方向）に延設されるとともに、後述する移動部としての移動機構４３により、前記主走査方向と交差する副走査方向（Ｘ軸方向）に移動可能に構成されている。尚、本実施例では、前記主走査方向は原稿読み取り領域の短辺方向に対応しており、前記副走査方向が原稿読み取り領域の長辺方向に対応している。  
読み取り部３７は、その移動方向（Ｘ軸方向）において、原稿読み取り領域３４の＋Ｘ側の位置（図６において一点鎖線で示す読み取り部３７の位置）から−Ｘ側の位置（図６において二点鎖線で示す読み取り部３７の位置）まで移動する。したがって、符号３８の点線で示す矩形領域が読み取り部３７の移動領域３８である。
【００３８】
尚、筐体４０の−Ｙ側の内壁面に沿って設けられるフレキシブルフラットケーブル５２（以下、単にケーブル５２と称する）は、図７または図８に示すように、固定部５８によって内壁面に固定されている。ケーブル５２において、固定部５８よりも＋Ｘ側の部分（可動部５３、図８参照）はフリーの状態となっている。そして、可動部５３は、図９に示すように読み取り部３７が移動すると、読み取り部３７の移動に追従して変形可能に構成されている。
【００３９】
さらに、画像読み取り装置３の詳細構成について説明する。  
ここで、図１０は、読み取り部３７の平面図である。また、図１１は、読み取り部３７の斜視図である。また、図１２は、読み取り部３７におけるセンサーキャリッジ４１及びスライダー２３の分解斜視図である。また、図１３は、読み取り部３７の一部を表す−Ｘ側から見た断面図である。また、図１４は、読み取り部３７の一部を表す＋Ｘ側から見た断面図である。また、図１５は、画像読み取り装置３の一部を表す斜視図である。また、図１６は、読み取り部３７のセンサーキャリッジ４１の一部を表す斜視図である。また、図１７は、読み取り部３７のセンサーキャリッジ４１の一部を表す平面図である。また、図１８は、画像読み取り装置３の＋Ｙ側から見た断面図である。また、図１９は、画像読み取り装置３の−Ｙ側から見た断面図である。また、図２０は、別の実施形態の読み取り部３７の一部を表す−Ｘ側から見た断面図である。そして、図２１は、参考例に係るプリンターの読み取り部１３７の一部を表す概略図である。
【００４０】
読み取り部３７は、読み取りセンサー３９と、読み取りセンサー３９を保持するセンサーキャリッジ４１と、ガイド部４２にガイドされる係合部２７を備える摺動部としてのスライダー２３と、によって構成されている（図１０）。  
読み取りセンサー３９は、不図示の光源と受光部を備え、原稿台３ａに載置された原稿に光源から光を照射し、該原稿からの反射光を受光部で受光して原稿の情報を読み取る光学センサーであり、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ)方式の光学センサーを用いることができる。
【００４１】
主走査方向（Ｙ軸方向）に延設される読み取り部３７を構成するセンサーキャリッジ４１は、スライダー２３が摺動することによって、副走査方向（Ｘ軸方向）にスライドして移動するように構成されている。詳細には、図１０に示すように、その下部に設けられる係合部２７においてガイド部４２に対して移動可能に係合し、ガイド部４２に案内されて、センサーキャリッジ４１を移動させる動力源としてのモーター４４（図８、図９）の動力によって副走査方向（Ｘ軸方向）にスライドして移動するように構成されている。  
より具体的には、センサーキャリッジ４１は、以下に詳述するベルト駆動による移動機構４３（図７）により駆動され、ガイド部４２に案内されてＸ軸方向にスライド移動する。すなわち、読み取り部３７は、モーター４４の動力によって移動するように構成されている。  
なお、センサーキャリッジ４１（読み取り部３７）の移動機構４３（図７）は、モーター４４によって駆動される駆動プーリー４５と、駆動プーリー４５の回転に従動回転可能な複数の従動プーリーとしての第１従動プーリー４６及び第２従動プーリー４７と、これらのプーリーの間に係回される無端ベルト４８を備えている。
【００４２】
上記のように、本実施例の画像読み取り装置３は、主走査方向に延設される読み取り部３７と、主走査方向と交差する副走査方向に読み取り部３７を移動させる移動機構４３と、副走査方向における読み取り部３７の移動をガイドするガイド部４２と、を備えている。  
また、読み取り部３７を構成するスライダー２３には、ガイド部４２に対して移動可能に係合する係合部２７に加えて、筐体４０の底面４０ａに形成された溝部１６ａ（図５、図７から図９、図１５）に嵌合する突起部１６ｂが形成されている（図１０から図１３、図１５）。すなわち、本実施例の画像読み取り装置３は、溝部１６ａと突起部１６ｂとからなり、副走査方向における読み取り部３７の移動が可能な状態でガイド部４２を基準に読み取り部３７が回動方向Ｒに回動することを抑制する、回動抑制部１６を備えている。このため、読み取り部３７のロック機構を形成する必要が無いので、簡単な構成で、読み取り部３７が回動することを抑制することができる構成になっている。
【００４３】
別の表現をすると、本実施例の画像読み取り装置３においては、該副走査方向に延設される延設部としての溝部１６ａと、該溝部１６ａに嵌合する嵌合部としての突起部１６ｂとで、回動抑制部１６を形成している（図１３、図１５）。このように、主走査方向におけるガイド部４２の位置とは異なる位置において、回動抑制部１６を形成していることにより、読み取り部３７が回動することを抑制することが可能になっている。すなわち、図１０において、読み取り部３７がガイド部４２を基準に回動方向Ｒに回動することを抑制可能になっている。  
また、本実施例の回動抑制部１６は、副走査方向に延設される溝部１６ａと該溝部１６ａに嵌合する突起部１６ｂとで構成されているため、本実施例の画像読み取り装置３は、副走査方向に延設される溝部１６ａと該溝部１６ａに嵌合する突起部１６ｂとからなる簡単な構成で、読み取り部３７が回動することを抑制している。  
なお、本実施例の画像読み取り装置３においては、回動抑制部１６は副走査方向に延設される延設部と該延設部に嵌合する突起部とで形成されているが、このような構成に限定されず、例えば、副走査方向に延設される延設部と該延設部に度当てされる度当て部などで構成してもよい。
【００４４】
ここで、上記について、別の表現をすると、本実施例のプリンター１は、上記の画像読み取り装置３と、画像読み取り装置３で読み取った画像を用紙Ｐに記録可能な記録ヘッド３０と、を備えている。このため、本実施例のプリンター１は、読み取り部３７の回動が抑制された状態で画像を読み取り、読み取られた該画像を記録することができる構成になっている。
【００４５】
一方、図２１で表される参考例のプリンターでは、ガイド部を基準に読み取り部１３７が回動することを抑制するために、ロック機構１１６として、読み取り部１３７に突状部材１１６ｂを形成し、画像読み取り装置１０３の本体部分に該突状部材１１６ｂを嵌め込む嵌め込み部材１１６ａを形成している。  
このような構成では、ロック機構１１６が複雑化するとともに、装置が大型化してしまう。
【００４６】
また、図１３で表されるように、溝部１６ａと突起部１６ｂとの間には隙間Ｓが形成されている。  
別の表現をすると、本実施例の画像読み取り装置３は、画像読み取り動作中において溝部１６ａと突起部１６ｂとが接触しないよう構成されている。  
本実施例の画像読み取り装置３のように、画像読み取り動作中において、延設部（溝部１６ａ）と嵌合部（突起部１６ｂ）が、接触しないよう構成されていることで、画像読み取り動作中にこれら両者の接触に伴う摩擦力の上昇などに起因する読み取り動作の不良などを抑制できる。  
なお、「接触しないよう構成されている」とは、常に接触している状態ではなければ足りる意味であり、全く接触しないことまでは要求しない意味である。  
また、図１３及び図１４で表されるように、本実施例の画像読み取り装置３においては、凸状のガイド部４２に凹状の係合部２７を被せるようにガイド部と被ガイド部とを形成している。このため、読み取り部３７が回動しようとしても側面部２４ａ及び２４ｂがガイド部４２と接触することにより効果的に読み取り部３７の回動を抑制できるように構成している。
【００４７】
また、図１０で表されるように、本実施例の画像読み取り装置３では、突起部１６ｂ（すなわち、回動抑制部１６）は、係合部２７（すなわち、ガイド部４２）の位置よりも主走査方向における読み取り部３７の重心Ｃの位置側に形成されている。装置を落下させた場合などにおいては、ガイド部４２の位置を基準にすると、重心Ｃの位置側の方が、力が加わりやすい。  
しかしながら、本実施例の画像読み取り装置３では、回動抑制部１６は、ガイド部４２の位置よりも主走査方向における読み取り部３７の重心Ｃの位置側に形成されている。このため、回動の基準位置（ガイド部４２）を基準にして、装置の落下などにより、力が加わりやすい側で回動を抑制することができる構成になっている。したがって、読み取り部３７が回動することを効果的に抑制することができる構成になっている。
【００４８】
また、さらに詳細には、図１０で表されるように、本実施例の画像読み取り装置３では、突起部１６ｂ（すなわち、回動抑制部１６）は、主走査方向において、係合部２７（すなわち、ガイド部４２）の位置と読み取り部３７の重心Ｃの位置との間に形成されている。このため、回動抑制部１６をガイド部４２の近くに構成でき、例えば、本実施例のスライダー２３のように、回動抑制部１６とガイド部４２とを読み取り部３７における同じ部材に形成する場合、該部材（すなわち、本実施例ではスライダー２３）を小型且つ簡単に構成できる。また、回動抑制部１６を、主走査方向において、ガイド部４２の位置と読み取り部３７の重心Ｃの位置との間に形成することで、読み取り部３７が多少回動した場合であっても、読み取り部３７の回動方向Ｒの振動をすぐに（例えば１回の回動で）解消することができる。
【００４９】
ここで、本実施例の画像読み取り装置３は、嵌合部は読み取り部３７に形成される突起部１６ｂであり、延設部は該嵌合部と対向する位置に形成される溝部１６ａである。このため、嵌合部と延設部とを特に簡単に構成できている。
【００５０】
一方、本実施例の画像読み取り装置３の構成とは逆に、図２０で表されるように、嵌合部が読み取り部３７に形成される溝部１６ｄであり、延設部が該溝部１６ｄと対向する位置に形成される突起部１６ｃであってもよい。このような構成であれば、画像読み取り装置３の下部に溝部１６ｄを形成することで該装置の下部が下側に出っ張るということを抑制できる。このため、例えば、画像読み取り装置の下部に記録部などを設ける構成の装置などにおいて、装置全体を小型化できる。
【００５１】
なお、画像読み取り装置３が図２０で表されるような構成であった場合、突起部１６ｃは、副走査方向の全域に形成されていなくても、読み取り部３７の移動領域３８の全域の移動が可能になる。  
しかしながら、突起部１６ｃは、読み取り部３７の移動範囲（移動領域３８の全域）において副走査方向の全域に形成されることが好ましい。例えば、読み取り部３７が待機位置（ホームポジション）にある場合などだけではなく、読み取り部３７の移動範囲全域において、読み取り部３７が回動することを抑制することができるためである。
【００５２】
本実施例の読み取り部３７は、上記のように、センサーキャリッジ４１とスライダー２３とを有する。これらを固定する場合、最初に、スライダー２３に形成された度当て凸部５９ａ及び５９ｂをセンサーキャリッジ４１に形成された度当て凹部６５ａ及び６５ｂに挿入し、一方の側（例えば＋Ｘ方向）に度当てする。そして、その状態を維持しつつ、雄ネジ２６ａを孔部５１ａを通して雌ネジ５７ａにネジ止めするとともに、雄ネジ２６ｂを孔部５１ｂを通して雌ネジ５７ｂにネジ止めする。そして、その後、雄ネジ２６ｃを孔部５７ｃを通して雌ネジ５１ｃにネジ止めする（図１２、図１６及び図１７参照）。  
このように、第１の方向から雄ネジ２６ａ及び２６ｂを孔部５１ａ及び５１ｂを通して雌ネジ５７ａ及び５７ｂにネジ止めした後、該第１の方向と交差する第２の方向から雄ネジ２６ｃを孔部５７ｃを通して雌ネジ５１ｃにネジ止めすることで、スライダー２３に対してセンサーキャリッジ４１の配置がずれることを抑制できる。例えば、該第１の方向から固定することなく第２の方向からネジ止めしようとすると、ネジを回す方向に、スライダー２３に対してセンサーキャリッジ４１が回動してしまうためである。
【００５３】
また、本実施例の画像読み取り装置３には、図５、図７から図９、図１８及び図１９で表されるように、異音防止材２２ａ及び２２ｂが形成されている。異音防止材２２ａ及び２２ｂは、読み取り部３７の副走査方向の移動に伴ってケーブル５２が移動し、該ケーブル５２の移動に伴う筐体４０の底面４０ａとの擦れに伴う異音の発生を低減するためのものである。具体的には、ケーブル５２と底面４０ａとが擦れる（接触する）代わりに、ケーブル５２と異音防止材２２ａ及び２２ｂとが擦れる（接触する）よう構成されている。なお、図１８及び図１９で表されるように、異音防止材２２ａ及び２２ｂの端部には斜面部６６ａ、６６ｂ及び６６ｃが形成されており、ケーブル５２と異音防止材２２ａ及び２２ｂの端部とが引っ掛からないようになっている。
【００５４】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００５５】
１…プリンター（記録装置）、２…記録機構部本体、３…画像読み取り装置、
４…カバー、５…操作パネル、６…手差しカバー、７…手差しトレイ、
８…排紙受けトレイ、９…カバー、１３…下段側トレイ、１４…上段側トレイ、
１５…記録機構部、１６…回動抑制部、１６ａ…溝部（延設部）、
１６ｂ…突起部（嵌合部）、１６ｃ…突起部（延設部）、１６ｄ…溝部（嵌合部）、
２２ａ…異音防止材、２２ｂ…異音防止材、２３…スライダー、
２４ａ、２４ｂ…側面部、２６ａ、２６ｂ、２６ｃ…雄ネジ、
２７…係合部（被ガイド部）、３０…記録ヘッド（記録部）、
３３ａ、３３ｂ、３３ｃ、３３ｄ…フレーム、３４…原稿読み取り領域、
３５…第１の連結部、３６…第２の連結部、３７…読み取り部、３８…移動領域、
３９…読み取りセンサー、４０…筐体、４０ａ…底面、４１…センサーキャリッジ、
４２…ガイド部、４３…移動機構（移動部）、４４…モーター（動力源）、
４５…駆動プーリー、４６…第１従動プーリー、４７…第２従動プーリー、
４８…無端ベルト、５１ａ、５１ｂ…孔部、５１ｃ…雌ネジ、
５２…フレキシブルフラットケーブル（ケーブル）、５３…可動部、
５７ａ、５７ｂ…雌ネジ、５７ｃ…孔部、５８…固定部、
５９ａ、５９ｂ…度当て凸部、６５ａ、６５ｂ…度当て凹部、
６６ａ、６６ｂ、６６ｃ…斜面部、１０３…画像読み取り装置、１１６…ロック機構、
１１６ａ…嵌め込み部材、１１６ｂ…突状部材、１３７…読み取り部、Ｃ…重心、
Ｐ、Ｐ１、Ｐ２…用紙（媒体、被記録媒体）、Ｓ…隙間
【図１】
0006774007.tif 000002
【図２】
0006774007.tif 000003
【図３】
0006774007.tif 000004
【図４】
0006774007.tif 000005
【図５】
0006774007.tif 000006
【図６】
0006774007.tif 000007
【図７】
0006774007.tif 000008
【図８】
0006774007.tif 000009
【図９】
0006774007.tif 000010
【図１０】
0006774007.tif 000011
【図１１】
0006774007.tif 000012
【図１２】
0006774007.tif 000013
【図１３】
0006774007.tif 000014
【図１４】
0006774007.tif 000015
【図１５】
0006774007.tif 000016
【図１６】
0006774007.tif 000017
【図１７】
0006774007.tif 000018
【図１８】
0006774007.tif 000019
【図１９】
0006774007.tif 000020
【図２０】
0006774007.tif 000021
【図２１】
0006774007.tif 000022